(57)【要約】【課題】吸収性、装着性の面で優れ、かつ安価に製造し得る吸収性物品を提供すること。【解決手段】透液性トップシートと、不透液性バックシート、前記シート間に介在する吸収体とを有し、前記吸収体がパルプ繊維及び高吸水性ポリマーを主体としている吸収性物品において、前記吸収体を、前記高吸水性ポリマーの含有率が５５重量％以上、前記パルプ繊維の含有率が４５重量％未満であり、かつ、前記前記高吸水性ポリマーが下記１）〜３）の吸収性能条件を充足するものを用いて構成する。１）吸収速度が人工尿３０ｃｃに対し５０秒以下である。２）吸収量が２０ｇ／ｃｍ２加圧下での人工尿に対し２８ｃｃ／ｇ以上である。３）吸湿ブロッキングが５０％以下である。【選択図】　　　　図２
2004065716.tif 000002
【特許請求の範囲】
【請求項１】
透液性トップシートと、不透液性バックシート、前記シート間に介在する吸収体とを有し、前記吸収体がパルプ繊維及び高吸水性ポリマーを主体としている吸収性物品において、前記吸収体は、前記高吸水性ポリマーの含有率が５５重量％以上、前記パルプ繊維の含有率が４５重量％未満であり、かつ、前記前記高吸水性ポリマーが下記１）〜３）の吸収性能条件を充足してなることを特徴とする吸収性物品。
１）吸収速度が人工尿３０ｃｃに対し５０秒以下である。
２）吸収量が２０ｇ／ｃｍ２加圧下での人工尿に対し２８ｃｃ／ｇ以上である。
３）吸湿ブロッキング率が５０％以下である。
【請求項２】
前記吸収体は、前記パルプ繊維の単独層と、前記パルプ繊維と前記高吸収性ポリマーとの混合層とで構成されていることを特徴とする請求項１に記載の吸収性物品。
【発明の詳細な説明】
【０００１】
【発明の属する技術分野】
本発明は、使い捨て紙おむつ、あるいは生理用ナプキン等の吸収性物品に関し、さらに詳細には、吸収性、装着性の面で優れ、かつ安価に製造し得る吸収性物品に関する。
【０００２】
【従来の技術】
従来、使い捨て紙おむつ、あるいは生理用ナプキン等の吸収性物品は、通常、着用者の身体と接する表面側を覆う透液性トップシートと、その裏面側を覆う不透液性バックシートと、前記シート間に介在された吸収体とで構成されている。このような吸収性物品に対しては、とくに吸収性及び装着性に優れ、かつ安価に入手できるものが一般ユーザーから要求されている。
【０００３】
図６は、従来の吸収性物品の一例であるテープ式の使い捨て紙おむつ１００を展開して表面側から見た平面図であり、図７は図６のＡ−Ａ断面図である。図示するように、この紙おむつ１００は、透液性トップシート１０１と不透液性バックシート１０２との間に介在された吸収体１０３により構成された紙おむつ本体を擬似砂時計形状に形成したもので、その背部側にはこのおむつ本体を身体に保持、密着させるためのファスニングテープ１０４及び弾性伸縮部材１０５Ｂが、同様に腹部側には弾性伸縮部材１０５Ｆが、また脚周り部には弾性伸縮部材１０５Ｓが夫々設けられてなっている。
【０００４】
【発明が解決しようとする課題】
前記吸収体１０３は、図７に示すように、パルプ繊維１０７と高吸収性ポリマー１０８との混合層をクレープ紙１０６で被覆してなっている。このように構成された紙おむつ１００は、透液性トップシート１０１を通して入ってきた尿等の体液をパルプ繊維１０７で一時的に保持した後、高吸収性ポリマー１０８で体液を保持する。このとき、高吸収性ポリマー１０８は膨潤し、吸収体１０３の体積が増加する。したがって、この高吸収性ポリマー１０８の量を多くすると、吸収体１０３中のパルプ繊維１０７の量が相対的に減少し、吸収速度が遅くなると共に繊維同士の絡みが少なくなって吸収体１０３の保形性が劣化する欠点がある。
【０００５】
逆に、この保形性を向上させるために、吸収体１０３中の高吸収性ポリマー１０８の量を減少させ、パルプ繊維１０７の量を相対的に増加させて紙おむつ１００を形成すると、着用したときに股間部が嵩張って脚部の運動機能が低下すると共に見栄えが悪くなり、また製造コストがアップする等の欠点がある。そこで、このような吸収性、装着性、あるいはコスト等を考慮し、従来の吸収性物品では、全体の厚みが通常５〜１０ｍｍ程度に作られているのが実情である。
【０００６】
しかしながら、このような吸収性物品は、吸収性及び装着性が共に優れ、かつ安価に入手できるという一般ユーザーが望む理想的な吸収性物品にはまだまだ及ばず、最近では、とくにシートに近い厚みを有し、軽量でコンパクトな吸収性物品の出現が強く要望されていた。
【０００７】
本発明は、上記実情に鑑みてなされたもので、吸収性、装着性の面で優れ、かつ安価に製造し得る吸収性物品を提供することを目的とする。
【０００８】
【課題を解決するための手段】
本発明の上記目的は、透液性トップシートと、不透液性バックシート、前記シート間に介在する吸収体とを有し、前記吸収体がパルプ繊維及び高吸水性ポリマーを主体としている吸収性物品において、前記吸収体は、前記高吸水性ポリマーの含有率が５５重量％以上、前記パルプ繊維の含有率が４５重量％未満であり、かつ、前記前記高吸水性ポリマーが下記１）〜３）の吸収性能条件を充足してなることを特徴とする吸収性物品によって達成される。
１）吸収速度が人工尿３０ｃｃに対し５０秒以下である。
２）吸収量が２０ｇ／ｃｍ２加圧下での人工尿に対し２８ｃｃ／ｇ以上である。
３）吸湿ブロッキング率が５０％以下である。
【０００９】
また、本発明の上記目的は、前記吸収体は、前記パルプ繊維の単独層と、前記パルプ繊維と前記高吸収性ポリマーとの混合層とで構成されていることを特徴とする吸収性物品によって、より効果的に達成される。
【００１０】
【発明の実施の形態】
以下、本発明の内容を、前記同様、吸収性物品が使い捨ての紙おむつである実施例に基づき詳述する。なお、本発明は必ずしも以下の実施例に限定されるものではなく、特許請求の範囲を逸脱しない範囲において、その構成を任意に変更できるものであることはいうまでもない。
【００１１】
図１は、本発明の実施例に係わる使い捨ての紙おむつ１０を展開して表面側から見た平面図、図２は図１のＢ−Ｂ断面図、図３は図２の要部拡大図である。図示するように、本紙おむつ１０は前述した従来の紙おむつ１００と較べ、吸収体１３の内部構成を除くその他の構成が実質的に同一なものとなっている。このため、前記紙おむつ１００と対応する構成部品には１０番台の対応する番号及び符号が付されている。
【００１２】
すなわち、本紙おむつ１０は、透液性トップシート１１と不透液性バックシート１２との間に介在された吸収体１３により紙おむつ本体が構成され、全体が擬似砂時計形状に形成された背部側には、おむつ本体を身体に保持、密着させるためのファスニングテープ１４及びゴム紐等から成る弾性伸縮部材１５Ｂが、同様に腹部側には弾性伸縮部材１５Ｆが、また脚周り部には弾性伸縮部材１５Ｓが設けられている。
【００１３】
透液性トップシート１１には、織布、不織布、多孔性シート等の液透過性を有し、柔軟で肌触りのよい素材が用いられている。また、不透液性バックシート１２には、ポリエチレンや防水フィルム、これらの複合材、あるいはフィルムと織布等の複合材で液不透過性を有する肌触りのよい素材が用いられている。
【００１４】
吸収体１３は、図２及び図３に断面図で示すように、表面側よりパルプ繊維１７の単独層Ｌ１、パルプ繊維１７と高吸水性ポリマー１８との混合層Ｌ２、パルプ繊維１７の単独層Ｌ１の３層がクレープ紙１６により被覆されてなっている。なお、パルプ繊維１７の単独層Ｌ１及びパルプ繊維１７と高吸水性ポリマー１８との混合層Ｌ２の層厚は、夫々、Ｌ１＝０〜４ｍｍに、及び、Ｌ２＝１〜８ｍｍに、そして吸収体１３全体の厚みは１〜１０ｍｍに設定され、前述した従来の紙おむつ１００のものと較べかなり薄く形成されている。
【００１５】
パルプ繊維１７の素材としては、綿状パルプ他の公知のものが適用され、また高吸水性ポリマー１８としては、ポリアクリル酸ソーダやアクリル酸ビニールアルコール共重合体等が好ましく用いられる。
【００１６】
ここに、吸収体１３は、３層に含まれる高吸水性ポリマー１８の全含有率が５５重量％以上、パルプ繊維１７の全含有率が４５重量％未満であり、かつ、この高吸水性ポリマー１８が下記の１）〜３）の吸収性能条件を満たすように設計されている。
１）吸収速度が人工尿３０ｃｃに対し５０秒以下である。
２）吸収量が２０ｇ／ｃｍ２加圧下での人工尿に対し２８ｃｃ／ｇ以上である。
３）吸湿ブロッキング率（ゲル強度）が５０％以下である。
【００１７】
ここに、高吸水性ポリマー１８の上記吸収性能は図４に示す分析方法によって測定される。図４（Ａ）は吸収速度を、（Ｂ）は加圧下吸収量を、（Ｃ）は吸湿ブロッキング率を、夫々分析する方法を模式的に示した説明図である。
【００１８】
先ず、高吸水性ポリマー１８の吸収速度は、図４（Ａ）に示すように、直径９０ｍｍのシャーレ２０の内部に１ｇの高吸水性ポリマー１８を散布し、ここに３０ｃｃの人口尿を入れ（Ａ１）、この人口尿が高吸水性ポリマー１８に吸収されるまでの時間（秒）を測定する（Ａ２）。本発明者等が鋭意実験した結果、この吸収速度が５０秒以下の高吸水性ポリマー１８が吸収性能の面で好ましいことが明らかにされている。吸収速度が５０秒を上回ると高吸水性ポリマー１８の親水性が高くなり、尿のウエットバックが顕著化して肌がかぶれ易くなるからである。
【００１９】
次に、高吸水性ポリマー１８の吸収量は、図４（Ｂ）に示すように、加圧力２０ｇ／ｃｍ２の下で（Ｂ１）、直径５０ｍｍのろ紙２１上の直径４０ｍｍの範囲内に０．２ｇの高吸水性ポリマー１８を散布し、これを人工尿に浸して吸収量（ｃｃ／ｇ）を測定する（Ｂ２）。上記同様、実験の結果、この吸収量が２８ｃｃ／ｇ以上の高吸水性ポリマー１８が吸収性能の面で好ましいことが明らかにされている。吸収量が２８ｃｃ／ｇを下回ると、吸収速度の場合と同様に、尿のウエットバックが顕著化して肌がかぶれ易くなるからである。
【００２０】
また、高吸水性ポリマー１８の吸湿ブロッキング率は、図３（Ｃ）に示すように、１５０ｍｍ×１５０ｍｍ（正方形）の鋼板２２上の１００ｍｍ×１０ｍｍの範囲内に２ｇの高吸水性ポリマー１８を散布し、温度４０℃、湿度９０％の恒温高湿槽内に３０秒間保管し（Ｃ１）、鋼板２２を裏返して１分間静止し（Ｃ２）、
計算式、すなわち、鋼板２２に残った高吸水性ポリマー／総重量×１００＝吸湿ブロッキング率（％）、に基づき高吸水性ポリマー１８の吸湿ブロッキング率を測定する（Ｃ３）。上記同様、実験の結果、この吸湿ブロッキング率が５０％以下の高吸水性ポリマー１８が好ましいことが明らかにされている。吸湿ブロッキング率が５０％を上回ると、高吸水性ポリマー１８をおむつ製造機に搬送するとき、通常の湿度の雰囲気内でポリマー粒子同士がくっついて固まってしまうために分散性が悪くなり、これにより高吸水性ポリマー１８の均一な散布ができなるからである。また、ポリマー粒子が搬送管内やおむつ製造機設備等に付着して錆を発生するためオーバーホールが度々必要となり、この都度製造設備を停止しなければならないためにコストがかかることも明らかにされている。
【００２１】
以上のとおり構成された吸収体１３を用いて作られた本紙おむつ１０によれば、
パルプ繊維１７と高吸水性ポリマー１８とが程よく含有されていることから、尿等の体液が吸収体１３内に迅速に吸収される。また総厚が５ｍｍ以下の薄手とすることができることから、全体を軽量かつコンパクトな紙おむつ１０を安価に製造することができる。
【００２２】
なお、前記実施例では吸収体１３を３層構成としたが、本発明においては必ずしもこれに限定されるものではなく、吸収体１３を構成する高吸水性ポリマー及びパルプ繊維との含有率が、夫々、５５重量％以上、及び４５重量％未満とする条件の下に、図５（Ａ）、（Ｂ）のように変更することができる。
【００２３】
すなわち、図５（Ａ）に示す吸収体１３は、表面側のパルプ繊維１７と高吸水性ポリマー１８との混合層Ｌ２と、この下層側のパルプ繊維１７の単独層Ｌ１の２層をクレープ紙１６により被覆してなっている。なお、パルプ繊維１７と高吸水性ポリマー１８との混合層Ｌ２の層厚はＬ２＝１〜６ｍｍに設定され、パルプ繊維１７の単独層Ｌ１の層厚はＬ１＝０〜４ｍｍに設定されている。
【００２４】
同様に、図５（Ｂ）に示す吸収体１３は、表面側のパルプ繊維１７の単独層Ｌ１と、この下層側のパルプ繊維１７と高吸水性ポリマー１８との混合層Ｌ２の２層をクレープ紙１６により被覆してなっている。なお、パルプ繊維１７の単独層Ｌ１の層厚はＬ１＝０〜４ｍｍに設定され、パルプ繊維１７と高吸水性ポリマー１８との混合層Ｌ２の層厚はＬ２＝１〜６ｍｍに設定されている。
【００２５】
このように２層に構成された吸収体１３によっても、高吸水性ポリマー１８が前記１）〜３）の吸収性能条件を充足している場合には、前記実施例と同様な効果を奏することが判明されている。
【００２６】
以上、本発明の内容を使い捨ての紙おむつについて説明したが、本発明は、この他、例えば生理用のナプキンや尿取りパッド等の、公知の吸収性物品に適用し得ることはいうまでもない。
【００２７】
【発明の効果】
以上に詳述したように、本発明によれば、吸収性、装着性の面で優れ、かつ安価に製造し得る吸収性物品を提供することができる。とくに、吸収体の厚みを薄くすることができるので、全体として軽量かつコンパクトな吸収性物品とすることができ、着用者に対し快適な装着感と脚部の自由な運動機能を与えることができ、また製造コストの低減化を図ることができるという顕著な効果が得られる。
【図面の簡単な説明】
【図１】本発明の一実施例である使い捨て紙おむつを展開して表面側から見た平面図である。
【図２】図１のＢ−Ｂ断面図である。
【図３】図２の要部（吸収体の層構成）の拡大図である。
【図４】本発明における高吸収性ポリマーの吸収性能分析方法説明図で、（Ａ）は吸収速度、（Ｂ）は吸収量、（Ｃ）は吸湿ブロッキングの分析方法を説明する図である。
【図５】（Ａ）、（Ｂ）は、夫々、本発明に係わる吸収体の他の構成を示す断面図である。
【図６】従来の使い捨て紙おむつを展開して表面側から見た平面図である。
【図７】図６のＡ−Ａ断面図である。
【符号の説明】
１０，１００　　　　　　　　　　　　使い捨て紙おむつ（吸収性物品）
１１，１０１　　　　　　　　　　　　トップシート
１２，１０２　　　　　　　　　　　　バックシート
１３，１０３　　　　　　　　　　　　吸収体
１４，１０４　　　　　　　　　　　　ファスニングテープ
１５Ｂ，Ｆ，Ｓ，１０５Ｂ，Ｆ，Ｓ　　弾性伸縮部材
１６，１０６　　　　　　　　　　　　クレープ紙
１７，１０７　　　　　　　　　　　　パルプ繊維
１８，１０８　　　　　　　　　　　　高吸収性ポリマー
２０　　　　　　　　　　　　　　　　シャーレ
２１　　　　　　　　　　　　　　　　ろ紙
２２　　　　　　　　　　　　　　　　鋼板
Ｌ１　　　　　　　　　　　　　　　　パルプ繊維の単独層
Ｌ２　　　　　　　　　　　　　　　　パルプ繊維と高吸収性ポリマーの混合層
【図１】
2004065716.tif 000003
【図２】
2004065716.tif 000004
【図３】
2004065716.tif 000005
【図４】
2004065716.tif 000006
【図５】
2004065716.tif 000007
【図６】
2004065716.tif 000008
【図７】
2004065716.tif 000009